(57)【要約】【課題】陰のうと腿の付け根部分とを隔絶することができて、陰のう周辺部のべとつき、蒸れを解消することができる男性用パンツを提供する。【解決手段】男性用パンツ１では、陰のうＫと腿Ｔとの間にパンツ本体３を構成する布地が介在しており、しかも陰のうＫ、陰茎Ｐは穴５から露出し、更にカバー９の右半分側とパンツ本体３との間には多少の隙間があいている。従って、陰のうＫ、陰茎Ｐの回りは高い通気性が確保されることなる。従って、陰のう周辺部のべとつき、蒸れを解消することができる。【選択図】        図３
2011246854.tif 000002
【特許請求の範囲】
【請求項１】
パンツ本体と、前記パンツ本体の股間部に形成された穴と、前記穴を覆う状態にパンツ本体に取り付けられるカバーとを有し、前記穴から陰茎と陰のうを出した状態で、陰のうと腿の付け根部分との間にパンツ本体の一部が介在することを特徴とする男性用パンツ。
【請求項２】
請求項１に記載した男性用パンツにおいて、カバーはパンツ本体に一部が縫着されて縫着されていない部分が開閉でき、且つカバーの縫着されていない部分を閉じた状態で保持するカバー保持手段を具備したことを特徴とする男性用パンツ。
【請求項３】
請求項１に記載した男性用パンツにおいて、カバーには陰茎をカバー外へ出すための穴が形成されており、前記カバーには尿を受ける尿受け袋が着脱自在に装着されていることを特徴とする男性用パンツ。
【発明の詳細な説明】
【技術分野】
【０００１】
本発明は男性用パンツに係り、特に陰のうと腿の付け根部分との密着を防止して、爽快な履き心地の男性用パンツを提供することを目的とする。
【背景技術】
【０００２】
男性は汗をかくと、陰のうと腿の付け根部分との間に汗が溜まり、べとついてしまいかなり不快である。これを緩和しようとする男性用パンツ（下着）として特許文献１に記載されたものがある。
この特許文献１の男性用パンツは、着用によって陰のうの後部付け根に会陰部持ち上げ手段の一部を介在させて、陰のう周辺部の皮膚からの発汗によるべとつきを防止しようとするものである。
【先行技術文献】
【特許文献】
【０００３】
【特許文献１】特開平９−１１９００１
【発明の概要】
【発明が解決しようとする課題】
【０００４】
しかしながら、上記従来の男性用パンツは、陰のうの後部付け根に会陰部持ち上げ手段の一部を介在させるだけなので、陰のうと腿の付け根部分とを隔絶することはできず、陰のう周辺部のべとつき、蒸れを解消することができないという問題がある。
本発明は上記従来の問題点に着目して為されたものであり、陰のうと腿の付け根部分とを隔絶することができて、陰のう周辺部のべとつき、蒸れを解消することができる男性用パンツを提供することを、その目的とする。
【課題を解決するための手段】
【０００５】
本発明は上記課題を解決するためになされたものであり、請求項１の発明は、パンツ本体と、前記パンツ本体の股間部に形成された穴と、前記穴を覆う状態にパンツ本体に取り付けられるカバーとを有し、前記穴から陰茎と陰のうを出した状態で、陰のうと腿の付け根部分との間にパンツ本体の一部が介在することを特徴とする男性用パンツである。
【０００６】
請求項２の発明は、請求項１に記載した男性用パンツにおいて、カバーはパンツ本体に一部が縫着されて縫着されていない部分が開閉でき、且つカバーの縫着されていない部分を閉じた状態で保持するカバー保持手段を具備したことを特徴とする男性用パンツである。
【０００７】
請求項３の発明は、請求項１に記載した男性用パンツにおいて、カバーには陰茎をカバー外へ出すための穴が形成されており、前記カバーには尿を受ける尿受け袋が着脱自在に装着されていることを特徴とする男性用パンツである。
【発明の効果】
【０００８】
本発明の男性用パンツによれば、陰のうと腿の付け根部分とを隔絶することができて、陰のう周辺部のべとつき、蒸れを解消することが可能となる。
また、尿が漏れてしまった場合でも、尿が外部へ漏出するのを防止することができる。
【図面の簡単な説明】
【０００９】
【図１】本発明の実施の形態１に係る男性用パンツの分解斜視図である。
【図２】図１の男性用パンツの使用状態を説明するための斜視図である。
【図３】図１の男性用パンツの使用状態を説明するための側面図である。
【図４】本発明の実施の形態２に係る男性用パンツの斜視図である。
【図５】図４の男性用パンツの使用状態を説明するための側面図である。
【発明を実施するための形態】
【００１０】
図１から図３の図面に従って本発明の実施の形態１に係る男性用パンツ１を説明する。
符号３はパンツ本体を示し、このパンツ本体３の股間部にはほぼ円形の穴５が形成されている。また、穴５の図１において右脇にはボタン７が糸止めされている。
符号９はカバーを示し、このカバー９は穴５を覆うサイズに形成され、図１において右端部にボタン穴１１が形成されている。カバー９はパンツ本体３に対し穴５を覆う状態にほぼ左半分が縫い付けられている。カバー９は、その外周端の図１においてほぼ左半分が縫い付けられており、またボタン７がボタン穴１１に掛けられる。
【００１１】
男性用パンツ１の使用方法について説明する。
図２、図３に示すように男性用パンツ１を、陰のうＫと陰茎Ｐが丸穴５から露出する状態となるように履く。この状態では陰のうＫと陰茎Ｐはカバー９によって覆われた状態となる。そして、小用を足す場合にはボタン７をボタン穴１１から外し、カバー９を半分程度開くようにする。
上記したようにカバー９は、その外周端においてほぼ左半分が縫い付けられており、ボタン７がボタン穴１１に掛けられて開かないように保持されているので、カバー９の右半分側とパンツ本体３との間には多少の隙間があいている。
【００１２】
男性用パンツ１では、図３に詳細に示すように陰のうＫと腿Ｔとの間にパンツ本体３を構成する布地が介在しており、しかも陰のうＫ、陰茎Ｐは穴５から露出し、更にカバー９の右半分側とパンツ本体３との間には多少の隙間があいている。従って、陰のうＫ、陰茎Ｐの回りは高い通気性が確保されることになる。従って、陰のう周辺部のべとつき、蒸れを解消することができる。
【００１３】
図４、図５の図面に従って本発明の実施の形態２に係る男性用パンツ２１を説明する。
男性用パンツ２１は実施の形態１に係る男性用パンツ１と同様の構成部分を有するので、同様の構成部分については同一の符号を付して、その説明を省略する。
符号２３はカバーを示し、このカバー２３はパンツ本体３に対し穴５を覆う状態に縫い付けられている。カバー２３は、その外周端の図４において全体が縫い付けられており、カバー２３の中央には穴２５が形成され、この穴２５はパンツ本体３の穴５に対応している。またカバー２３の前面には四つのホックの雄側部３５が取り付けられている。
【００１４】
符号２７は尿受け袋を示し、この尿受け袋２７は袋部２９と、この袋部２９の開口縁に備えられたフランジ部３１とによって構成されている。袋部２９内には水分を吸収して保持できる高分子吸収体が収容されている。フランジ部３１にはホックの雌側部３３が四つ、カバー２３のホックの雄側部３５に対応して取り付けられている。そして、尿受け袋２７はホックの雌側部３３が雄側部３５に嵌合することによって、カバー２３に取り付けられている。
【００１５】
男性用パンツ２１では、実施の形態１の男性用パンツ１と同様に図５に詳細に示すように陰のうＫと腿Ｔとの間にパンツ本体３を構成する布地が介在するので、陰のう周辺部のべとつき、蒸れを解消することができる。
また、陰茎Ｐは尿受け袋２７の袋部２９に入り込んでいるので、尿が漏れてしまった場合でも袋部２９が尿を受け、高分子吸収体が尿を吸収する。従って、尿が外部へ漏出するのを防止することができる。しかも、尿受け袋２７はホックの雌側部３３を雄側部３５に対し外したり、嵌合したりするだけで、カバー２３から取り外すことができ、新しい尿受け袋２７に簡単に交換することができる。
【００１６】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、尿受け袋２７をカバー２３に対しホックによって取り付けるようにしたが、本発明はこれに限定されず、面ファスナ、ボタン等によって着脱自在に取り付けるようにしてもよい。
上記実施の形態で示したように、カバー９をパンツ本体３に対しほぼ左半分を縫い付ける構成としたが、この縫い付ける部分を小さくして、カバー９がより大きく開く構成としてもよい。また、カバー９の中心の上下の端部だけをパンツ本体９に縫い付け、ボタン７とボタン穴１１を左右両側に備える構成として、カバー９を左右いずれ側でも開くことができるようにしてもよい。
【産業上の利用可能性】
【００１７】
本発明は、下着製造業等において産業上の利用可能性を有する。
【符号の説明】
【００１８】
１、２１…男性用パンツ      ３…パンツ本体
５…パンツ本体の穴      ７…ボタン
９、２３…カバー      １１…ボタン穴
２５…カバーの穴      ２７…尿受け袋
２９…袋部      ３１…フランジ部
３３…ホックの雌側部      ３５…ホックの雄側部
Ｐ…陰茎      Ｋ…陰のう      Ｔ…腿
【図１】
2011246854.tif 000003
【図２】
2011246854.tif 000004
【図３】
2011246854.tif 000005
【図４】
2011246854.tif 000006
【図５】
2011246854.tif 000007